(57)【要約】【課題】従来の打楽器では演奏中にすばやく音程を変えるのは困難であった。【解決手段】内部が中空の打楽器（太鼓）８に空気を流通させるための開口部５を設け、そこに管４を通じて足踏み式空気ポンプ３を連結し、打楽器（太鼓）８内部の空気圧を変化させることにより、打楽器（太鼓）８の振動膜６の面張力を変化させて音程変化を得る。【選択図】図１
2005292754.tif 000002
【特許請求の範囲】
【請求項１】
内部が中空の本体の一部に本体内に空気を流通させるための開口部を設け、この開口部を気体送排出手段と連結させ、本体内の空気圧を変化させることによって、音程を変化させることが出来ることを特徴とする打楽器。
【請求項２】
内部が中空の本体の一部に本体内に空気を流通させるための開口部を設け、この開口部を、踏み込み続ける度合いで圧力が変化する足踏み式空気ポンプと連結させたことを特徴とする請求項１記載の打楽器。
【請求項３】
請求項１及び２に記載した打楽器において、本体と気体送排出手段間の連結部分の一部に開閉自在栓を施し、気体送排出手段を本体と分離あるいは気体送排出手段の作動を停止させた後も、本体内の空気圧を一定に保つことを可能としたことを特徴とする打楽器。
【発明の詳細な説明】
【技術分野】
【０００１】  この発明は、音楽等に用いられる打楽器に関する。
【背景技術】
【０００２】  従来の音楽等に用いられる打楽器は例えば太鼓等の場合、演奏中にその音程を変化させるためには、主に皮革等によって構成された振動膜を手や指で押し、その押し具合を調節して振動膜の面張力を変化させていた。あるいは振動膜に張力を与えそれを支持する目的で振動膜全体をまわりから引っ張っているワイヤー、紐、ロープ等の張力を手で変化させたり、ワイヤー、紐、ロープ等に連結されたペダルを足で操作して振動膜の面張力を変化させていた。
【発明の開示】
【発明が解決しようとする課題】
【０００３】しかしながら、以上の技術によれば、手や指で振動膜を押す形式やワイヤー、紐、ロープ等の張力を手で調節する形式の場合は一方の手が音程調節の為ふさがれているので、両手で振動膜を叩くことは不可能であった。ワイヤー、紐、ロープ等に連結されたペダルを足で操作する形式の場合は多数のワイヤー、紐、ロープが機械的にペダルに連結されているため、即応性が低く音程変化の速度に限界があった。また適度な剛性と撓性と弾性をそなえた材料によって全体が構成され、それを叩いたとき本体全体が振動体となって発音する構造の内部が中空の打楽器（たとえばプラスチック・チューブや空き缶の類）においては音程を変化させることはほぼ不可能であった。そこで、この発明は、両手で振動膜（振動体）を叩きながら制御可能で、高い即応性と音程変化速度を実現した音程可変型打楽器をを提供することを課題とする。
【課題を解決するための手段】
【０００４】  以上の課題を解決するために、第一発明は、内部が中空の本体の一部に本体内に空気を流通させる為の開口部を設け、この開口部を気体送排出手段と連結させ、本体内の空気圧を変化させることによって、音程を変化させることが出来ることを特徴とする打楽器。第二発明は、内部が中空の本体の一部に本体内に空気を流通させる為の開口部を設け、この開口部を、踏み込み続ける度合いで圧力が変化する足踏み式空気ポンプと連結させたことを特徴とする請求項１記載の打楽器。また第三発明は請求項１及び２記載の打楽器において、本体と気体送排出手段間の連結部分の一部に開閉自在栓を施し、気体送排出手段を本体と分離あるいは気体送排出手段の作動を停止した後も、本体内の空気圧を一定に保つことを可能としたことを特徴とする打楽器。
【発明の効果】
【０００５】  第一発明、または第二発明によれば、気体送排出手段若しくは足踏み式空気ポンプを制御することによって、内部が中空の打楽器本体内の空気圧を変化させ、それが振動膜（振動体）の面張力を変化させることになり、打楽器の音程を変化させることができる。また第三発明によれば上記方法によって音程を変化させた後、開閉自在栓を閉栓することによって打楽器本体内からの空気の排出を遮断し、気体送排出手段を本体と分離あるいは気体送排出手段の作動を停止した後も打楽器本体内の空気圧を一定に保ち、音程を一定に保つことが出来る。また開栓することによって本体内から空気を排出させ、空気圧を元に戻すことによって元の音程に戻すことが出来る。
【発明を実施するための最良の形態】
【０００６】（第１実施形態）
この発明の一実施形態を、図１〜２に示す。
振動膜６と胴７によって構成された内部が中空の打楽器（太鼓）８は開口部５を通じて、ペダル１と蛇腹２によって構成された足踏み式空気ポンプ３と管４で連結されている。この足踏み式空気ポンプ３には、たとえば蛇腹２の部分に小さな開口部があり、ペダル１を踏み込み続けることで圧力を維持できる。踏み込み続ける程度を増加させると、圧力は上昇し、減少させると圧力は下降する。【０００７】「実施形態の効果」
この実施形態によれば、足踏み式空気ポンプ３のペダル１を踏まない状態では空気圧Ａ〜Ｆは外気圧ＩＪと同じであり均衡を保っているので、振動膜６の面張力は太鼓８の持つ固有の大きさである。したがってこの状態で振動膜６が発音する音程は太鼓８の持つ固有の音程であり、この音程がこの打楽器の最低音となる。ペダル１を踏むと蛇腹２が圧縮されるので空気圧Ａ〜Ｆが上昇して外気圧ＩＪより大きくなる。したがって空気圧Ａ〜Ｆは振動膜６を内側から押し上げる形となり、振動膜６の面張力が増大し、その結果振動膜６が発音する音程も上昇する。ペダル１を踏み込み続ける度合いを減少させると空気圧Ａ〜Ｆも上昇していた状態から下降するので、振動膜６の面張力も増大していた状態から減少し、その結果、振動膜６が発音する音程も上昇していた状態から下降する。
蛇腹２の圧縮の度合いと速度はそれぞれペダル１を踏み込む深さと速度に比例しているので、振動膜６が発音する音程の変化度合いと変化速度もペダル１を踏み込む深さと速度に比例することとなる。尚、本体は空気ポンプ連結用の開口部５以外は閉じていることを前提としている。【０００８】「他の実施形態」
図１〜２の実施形態では、足踏み式空気ポンプ３は振動膜６と胴７によって構成された内部が中空の打楽器（太鼓）８に連結されているが、他の実施形態では、図３〜４のように適度な剛性と撓性と弾性を備えた材料によって全体が構成され、それを叩いたとき本体全体が振動体となって発音する中空振動体９（例えばプラスチック・チューブ等）に連結してもよい。この場合中空振動体９は開口部５を通じて、管４で足踏み式空気ポンプ３と連結されている。足踏み式空気ポンプ３のペダル１を踏まない状態では空気圧Ａ〜Ｈは外気圧Ｉ〜Ｍと同じであり均衡を保っているので、中空振動体９の面張力は中空振動体９が持つ固有の大きさである。したがってこの状態で中空振動体９が発音する音程は中空振動体９が持つ固有の音程であり、この音程がこの打楽器の最低音となる。ペダル１を踏むと蛇腹２が圧縮されるので空気圧Ａ〜Ｈが上昇して外気圧Ｉ〜Ｍより大きくなる。したがって空気圧Ａ〜Ｈは中空振動体９を内側から押し広げる形となり、中空振動体９全体の面張力が増大し、その結果中空振動体９が発音する音程も上昇する。ペダル１を踏み込み続ける度合いを減少させると空気圧Ａ〜Ｈも上昇していた状態から下降するので、中空振動体９全体の面張力も増大していた状態から減少し、その結果、中空振動体９が発音する音程も上昇していた状態から下降する。蛇腹２の圧縮の度合いと速度はそれぞれペダル１を踏み込む深さと速度に比例しているので、中空振動体９が発音する音程の変化度合いと変化速度もペダル１を踏み込む深さと速度に比例することとなる。尚、本体は空気ポンプ連結用の開口部５以外は閉じていることを前提としている。（第２実施形態）【０００９】（第３実施形態）
図５は、上記実施形態の打楽器本体と足踏み式空気ポンプ３を連結する管４の一部に開閉自在栓１０を施したもので、足踏み式空気ポンプ３を本体と分離あるいは足踏み式空気ポンプ３の作動を停止させた後も、開閉自在栓１０を閉栓することによって本体内の空気圧を一定に保ち、音程を一定に保つことを可能としたものである。
【図面の簡単な説明】
【００１０】
【図１】本発明第１実施形態を示す斜視図である。
【図２】本発明第１実施形態を示す断面図である。
【図３】本発明第２実施形態を示す斜視図である。
【図４】本発明第２実施形態を示す断面図である。
【図５】本発明第３実施形態を示す斜視図である。
【符号の説明】
【００１１】１：ペダル      ２：蛇腹        ３：足踏み式空気ポンプ      ４：管    ５：開口部６：振動膜      ７：胴          ８：太鼓      ９：中空振動体    １０：開閉自在栓Ａ：空気圧      Ｂ：空気圧        Ｃ：空気圧        Ｄ：空気圧        Ｅ：空気圧Ｆ：空気圧      Ｇ：空気圧        Ｈ：空気圧        Ｉ：外気圧        Ｊ：外気圧Ｋ：外気圧      Ｌ：外気圧        Ｍ：外気圧
【図１】
2005292754.tif 000003
【図２】
2005292754.tif 000004
【図３】
2005292754.tif 000005
【図４】
2005292754.tif 000006
【図５】
2005292754.tif 000007